(57)【特許請求の範囲】
【請求項１】
オキソ酸化合物または／およびポリ酸化合物を有効成分として含有するコンタクトレンズ用蛋白質除去剤。
【請求項２】
オキソ酸化合物が、オキソ酸またはその塩あるいはそれらの水和物である請求の範囲１に記載のコンタクトレンズ用蛋白質除去剤。
【請求項３】
ポリ酸化合物が、ポリ酸またはその塩あるいはそれらの水和物である請求の範囲１に記載のコンタクトレンズ用蛋白質除去剤。
【請求項４】
オキソ酸化合物が遷移金属、典型金属およびメタロイドのいずれかのオキソ酸化合物である請求の範囲１または２に記載のコンタクトレンズ用蛋白質除去剤。
【請求項５】
遷移金属がバナジウム、クロム、モリブデンまたはタングステンである請求の範囲４に記載のコンタクトレンズ用蛋白質除去剤。
【請求項６】
典型金属がスズである請求の範囲４に記載のコンタクトレンズ用蛋白質除去剤。
【請求項７】
メタロイドがケイ素またはテルルである請求の範囲４に記載のコンタクトレンズ用蛋白質除去剤。
【請求項８】
ポリ酸化合物が、少なくともタングステン酸を含有している請求の範囲１または３に記載のコンタクトレンズ用蛋白質除去剤。
【請求項９】
オキソ酸化合物または／およびポリ酸化合物を０．００１〜２．０（Ｗ／Ｖ）％含有する請求の範囲１〜８のいずれかに記載のコンタクトレンズ用蛋白質除去剤。
【請求項１０】
請求の範囲１〜９のいずれかに記載のコンタクトレンズ用蛋白質除去剤にコンタクトレンズを浸漬して、煮沸消毒及び洗浄することを特徴とするコンタクトレンズの消毒および蛋白質除去方法。
【発明の詳細な説明】
技術分野
本発明は、コンタクトレンズ用剤、特にオキソ酸化合物または／およびポリ酸化合物を含有するコンタクトレンズ用剤に関する。
背景技術
近年、ハードコンタクトレンズ、酸素透過性ハードコンタクトレンズ、ソフトコンタクトレンズ等の各種のコンタクトレンズが広く普及している。しかし、これらのコンタクトレンズは、涙液成分に由来する蛋白質等で汚れやすいため、日々の洗浄、殺菌、保存を行う必要がある。
コンタクトレンズの表面に付着した蛋白質の汚れの除去には、蛋白分解酵素で分解除去する方法があり、いろいろな洗浄剤が提案されている。例えば、蛋白分解酵素を主成分とした錠剤、顆粒、粉末等の固形の形態で供給し、それを使用者がその都度精製水等に溶解して使用する方法が採られてきた。しかしながら、この方法では、固体状態の蛋白分解酵素を使用毎に溶解しなければならないことから、コスト高及び煩雑な手間を使用者に強いる結果となっていた。
このような問題を解決するために、コンタクトレンズ用処理剤として、蛋白分解酵素を溶液状態で供給するものが幾つか提案されている（特開昭６０−１９６７２２号公報、特公平７−６６１１３号公報、特開平４−５１０１５号公報など）。また、尿素またはグアニジン酸塩、及び特定の還元剤を含有する蛋白質除去剤（特開昭５２−５６８５２号公報）、クエン酸等の化合物を特定量添加した次亜臭素酸アルカリ塩水溶液による蛋白質除去剤（特開昭５９−４５３３９号公報）、アルキルベンゼンスルホン酸塩等のアニオン性界面活性剤と亜硫酸塩等の還元剤とを配合した洗浄剤（特開昭６０−２５４１１４号公報）、チオ尿素と界面活性剤および／または還元剤とを含む洗浄剤（特開昭６１−５１１２１号公報）などが提案されている。
しかし、これらの蛋白質除去剤や洗浄剤は、角膜に対する刺激が強く、蛋白質除去処理後に十分な水洗が必要であるという問題がある。
また、レンズに付与された電場を利用し、汚染沈着物をレンズから移動させることにより、コンタクトレンズを洗浄し、消毒する方法が提案されている（特表平９−５１１３４０号公報）。
しかし、この方法では、予めコンタクトレンズに電場を付与しておかねばならず、また、特定の洗浄装置を必要とするという問題がある。
従って、コンタクトレンズの種類や特定の洗浄装置によらずに、蛋白質除去ができ、しかも蛋白質除去処理後に水洗が不要なコンタクトレンズ用剤の開発が望まれている。
発明の開示
本発明者らは、上記課題を解決するために鋭意研究を重ねてきたところ、蛋白質除去剤として、オキソ酸化合物または／およびポリ酸化合物を使用すると、コンタクトレンズの種類にかかわらず、また特定の洗浄装置を使用することなく、蛋白質除去ができ、しかも蛋白質除去処理後に水洗が不要であることを見い出して本発明を完成した。
すなわち、本発明は以下の通りである。
（１）オキソ酸化合物または／およびポリ酸化合物を有効成分として含有するコンタクトレンズ用剤。
（２）オキソ酸化合物が、オキソ酸またはその塩あるいはそれらの水和物である（１）に記載のコンタクトレンズ用剤。
（３）ポリ酸化合物が、ポリ酸またはその塩あるいはそれらの水和物である（１）に記載のコンタクトレンズ用剤。
（４）オキソ酸化合物が遷移金属、典型金属およびメタロイドのいずれかのオキソ酸化合物である（１）または（２）に記載のコンタクトレンズ用剤。
（５）遷移金属がバナジウム、クロム、モリブデンまたはタングステンである（４）に記載のコンタクトレンズ用剤。
（６）典型金属がスズである（４）に記載のコンタクトレンズ用剤。
（７）メタロイドがケイ素またはテルルである（４）に記載のコンタクトレンズ用剤。
（８）ポリ酸化合物が、少なくともタングステン酸を含有している（１）または（３）に記載のコンタクトレンズ用剤。
（９）コンタクトレンズ用剤が、コンタクトレンズの蛋白質除去剤である（１）〜（８）のいずれかに記載のコンタクトレンズ用剤。
（１０）オキソ酸化合物または／およびポリ酸化合物を０．００１〜２．０（Ｗ／Ｖ）％含有する（１）〜（９）のいずれかに記載のコンタクトレンズ用剤。
本明細書において、「オキソ酸化合物」とは、オキソ酸またはその塩あるいはそれらの水和物をいうものとする。
本発明のコンタクトレンズ用剤に含有されるオキソ酸化合物の中心原子を構成するものとしては、遷移金属、典型金属、メタロイドが挙げられる。
遷移金属としては、例えば周期表の第３〜１１族の元素が挙げられ、好ましくは、バナジウム（Ｖ）、クロム（Ｃｒ）、モリブデン（Ｍｏ）、タングステン（Ｗ）などの第５、６族の元素が挙げられる。
典型金属としては、例えば周期表の第１３、１４族に属する典型金属などが挙げられ、好ましくはスズ（Ｓｎ）などが挙げられる。
メタロイドとは、金属と非金属の中間の性質を示す元素であって、例えば、ケイ素（Ｓｉ）、ゲルマニウム（Ｇｅ）、セレン（Ｓｅ）、アンチモン（Ｓｂ）、テルル（Ｔｅ）などが挙げられる。好ましいメタロイドは、ケイ素（Ｓｉ）、テルル（Ｔｅ）などである。
好ましいオキソ酸としては、例えばバナジン酸（ＨＶＯ3 ）、クロム酸（Ｈ2 ＣｒＯ4 ）、モリブデン酸（Ｈ2 ＭｏＯ4 ）、タングステン酸（Ｈ2 ＷＯ4 ）、スズ酸（Ｈ2 ＳｎＯ3 ）、ケイ酸（Ｈ2 ＳｉＯ3 ）、テルル酸（Ｈ2 ＴｅＯ4 ）などが挙げられる。
本発明のコンタクトレンズ用剤に使用できるオキソ酸は、アルカリ金属（例えば、ナトリウム、カリウムなど）やアルカリ土類金属（例えばマグネシウム、カルシウムなど）の塩の状態で使用してもよい。また、オキソ酸またはその塩は、結晶水を含んでいる水和物であってもよい。
本発明のコンタクトレンズ用剤に含有されるポリ酸化合物は、イソポリ酸化合物、ヘテロポリ酸化合物のいずれであってもよい。イソポリ酸とは、単一のオキソ酸が縮合した多核構造のポリ酸をいう。ヘテロポリ酸とは、２種またはそれ以上のオキソ酸が縮合した多核構造のポリ酸をいう。ヘテロポリ酸は、骨格を作る酸（骨格酸）の縮合構造と、その中心などに少数個の他種原子（ヘテロ原子）が入った構造をしている。
なお、本明細書において「ポリ酸化合物」とは、ポリ酸またはその塩あるいはそれらの水和物をいうものとする。
本発明で使用できるイソポリ酸としては、硫黄（Ｓ）、ケイ素（Ｓｉ）、リン（Ｐ）、ホウ素（Ｂ）、５族の遷移元素（バナジウム（Ｖ）、ニオブ（Ｎｂ）、タンタル（Ｔａ）など）、６族の遷移元素（クロム（Ｃｒ）、モリブデン（Ｍｏ）、タングステン（Ｗ）など）の元素の酸素酸の縮合物が挙げられる。好ましくはバナジウム（Ｖ）、ニオブ（Ｎｂ）、タンタル（Ｔａ）、モリブデン（Ｍｏ）、タングステン（Ｗ）などの元素の酸素酸の縮合物である。具体的には、ヘプタオキソ二硫酸、ペンタオキソ二硫酸、二ケイ酸、三ケイ酸、四ケイ酸、二リン酸、三リン酸、四リン酸、ポリリン酸、四ホウ酸、五ホウ酸、六バナジン酸、十バナジン酸、六ニオブ酸、二クロム酸、三クロム酸、四クロム酸、二モリブデン酸、六モリブデン酸、七モリブデン酸、八モリブデン酸、十モリブデン酸、十二モリブデン酸、六タングステン酸、十タングステン酸、パラタングステン酸、メタタングステン酸などが挙げられる。これらのイソポリ酸は、鎖状であっても、環状であってもよい。また、これらのイソポリ酸は、アルカリ金属（例えば、ナトリウム、カリウムなど）やアルカリ土類金属（例えばマグネシウム、カルシウムなど）の塩の状態で使用すると、安定であり、好ましい。好ましいイソポリ酸の塩としては、例えば十バナジン酸ナトリウム、十タングステン酸ナトリウムなどが挙げられる。また、イソポリ酸またはその塩は、結晶水を含んでいる水和物であってもよい。
本発明で使用できるヘテロポリ酸の骨格酸の中心原子はイソポリ酸と同様に、バナジウム（Ｖ）、ニオブ（Ｎｂ）、タンタル（Ｔａ）、モリブデン（Ｍｏ）、タングステン（Ｗ）などの元素であり、ヘテロ原子は金属原子に限定されず、リン（Ｐ）、ケイ素（Ｓｉ）、ホウ素（Ｂ）、ゲルマニウム（Ｇｅ）などの元素を含んでいる。また、骨格酸の中心原子は、１種でなくてもよく、２種以上の原子で構成されていてもよい。
ヘテロポリ酸のヘテロ原子と骨格酸の中心原子の数の比は、上記多核構造のポリ酸を形成できれば特に制限されないが、好ましくは１：６、１：９、１：１２、２：１８などの比である。
本発明で使用できるヘテロポリ酸としては、例えば、ヘテロポリモリブデン酸、ヘテロポリタングステン酸などの骨格酸の中心原子が１種であるものや、ヘテロポリバナドモリブデン酸、ヘテリポリバナドタングステン酸などの骨格酸の中心原子が２種であるものが挙げられる。
ヘテロポリモリブデン酸としては、例えばＨ4（ＳｉＭＯ12Ｏ40）、Ｈ4（ＧｅＭｏ12Ｏ40）、Ｈ3（ＰＭｏ12Ｏ40）、Ｈ8（ＳｉＭｏ11Ｏ39）、Ｈ8（ＧｅＭｏ11Ｏ39）、Ｈ7（ＰＭｏ11Ｏ39）、Ｈ3（ＰＭｏ12Ｏ40）、Ｈ6（Ｐ2 Ｍｏ18Ｏ62）、Ｈ6（Ｐ2 Ｍｏ5 Ｏ23）などが挙げられる。
ヘテロポリタングステン酸としては、例えばＨ5（ＢＷ12Ｏ40）、Ｈ4（ＳｉＷ12Ｏ40）、Ｈ4（ＧｅＷ12Ｏ40）、Ｈ3（ＰＷ12Ｏ40）、Ｈ9（ＢＷ11Ｏ39）、Ｈ8（ＳｉＷ11Ｏ39）、Ｈ8（ＧｅＷ11Ｏ39）、Ｈ7（ＰＷ11Ｏ39）、Ｈ6（Ｐ2 Ｗ18Ｏ62）、Ｈ10（Ｐ2 Ｗ17Ｏ61）、Ｈ6（Ｐ2 Ｗ5 Ｏ23）、Ｈ21（Ｐ4 Ｗ8 Ｏ40）などが挙げられる。
ヘテロポリバナドモリブデン酸としては、Ｈ4（ＰＭｏ11ＶＯ40）、Ｈ5（ＰＭｏ10Ｖ2 Ｏ40）、Ｈ6（ＳｉＭｏ10Ｖ2 Ｏ40）、Ｈ6（ＰＭｏ9 Ｖ3 Ｏ40）などが、ヘテリポリバナドタングステン酸としてはＨ4（ＰＷ11ＶＯ40）、Ｈ5（ＳｉＷ11ＶＯ40）、Ｈ5（ＰＷ10Ｖ2 Ｏ40）、Ｈ6（ＳｉＷ10Ｖ2 Ｏ40）、Ｈ7（ＰＷ9 Ｖ3 Ｏ40）、Ｈ5（ＰＷ10Ｖ2 Ｏ40）、Ｈ6（ＰＷ6 Ｖ3 Ｏ31）、Ｈ7（ＳｉＷ9 Ｖ3 Ｏ40）などが例示される。
本発明で使用できるヘテロポリ酸は、アルカリ金属（例えば、ナトリウム、カリウムなど）やアルカリ土類金属（例えばマグネシウム、カルシウムなど）の塩であってもよい。好ましくは安定性の点から塩である。好ましいヘテロポリ酸の塩としては、例えば、Ｎａ8（ＧｅＷ11Ｏ39）、Ｎａ5（ＰＷ10Ｖ2 Ｏ40）などが挙げられる。また、ヘテロポリ酸またはその塩は、結晶水を含んでいる水和物であってもよい。
上記のオキソ酸化合物または／およびポリ酸化合物は、単独で、または２種以上組み合わせて使用することができる。
本発明のコンタクトレンズ用剤においてオキソ酸化合物または／およびポリ酸化合物の配合量は、０．００１〜２．０（Ｗ／Ｖ）％、好ましくは０．０１〜１．０（Ｗ／Ｖ）％である。その配合量が０．００１（Ｗ／Ｖ）％より少なければ、十分な蛋白質除去効果が得られない。
本発明のコンタクトレンズ用剤の用途としては、コンタクトレンズ用の洗浄、蛋白質除去、殺菌、保存等が例示され、各々の用途のコンタクトレンズ用として、また１剤にて洗浄、蛋白質除去を兼用するもの、さらに殺菌および／または保存をも兼用するものとして使用することが出来る。
本発明のコンタクトレンズ用剤は、本発明の目的に反しない範囲で他の殺菌剤、緩衝剤、等張化剤、界面活性剤、キレート剤、粘稠剤、湿潤剤、洗浄力向上剤を含有させてもよい。
殺菌剤としては、ハードコンタクトレンズ、酸素透過性ハードコンタクトレンズ、ソフトコンタクトレンズの各コンタクトレンズのタイプにもよるが、本発明の目的に反しない限り、例えば塩化ベンザルコニウム、グルコン酸クロルヘキシジン、ソルビン酸およびその塩、チメロサール、クロロブタノール、フェネチルアルコール、ｐ−オキシ安息香酸エステル類などが挙げられる。
緩衝剤は、本発明のコンタクトレンズ用剤のｐＨが約４〜１０、好ましくは５〜８の範囲となるように用いられる。緩衝剤としては、酸とその塩、塩基とその塩を常法により、所望のｐＨとなるように組み合わせて用いることができ、例えば、ホウ酸、ホウ砂、クエン酸、クエン酸ナトリウム、酒石酸、酒石酸ナトリウム、グルコン酸、グルコン酸ナトリウム、酢酸、酢酸ナトリウム、リン酸、リン酸一水素ナトリウム、リン酸二水素ナトリウム、各種アミノ酸等またはそれらの組み合わせが挙げられる。
等張化剤としては、水溶性で眼刺激性などの悪影響を示さないものであれば、特に限定はない。例えば、塩化ナトリウム、塩化カリウム、塩化カルシウム、グリセリンなどが挙げられる。
界面活性剤としては、非イオン界面活性剤、陰イオン界面活性剤、両性界面活性剤、陽イオン界面活性剤のいずれもが使用可能である。界面活性剤は、殺菌力、洗浄力向上剤等として使用されるものである。
陰イオン界面活性剤としては、例えばラウロイルサルコシンナトリウム、ラウロイル−Ｌ−グルタミン酸トリエタノールアミン、ミリスチルサルコシンナトリウムなどが挙げられ、両性界面活性剤としては、例えばラウリルジメチルアミノ酢酸ベタイン、２−アルキル−Ｎ−カルボキシメチル−Ｎ−ヒドロキシエチルイミダゾリウムベタイン、塩酸アルキルジアミノグリシン等が挙げられ、非イオン界面活性剤としては、例えばポリソルベート８０、ポリオキシエチレン硬化ヒマシ油６０、ステアリン酸ポリオキシル４０、ポリオキシエチレンラウリルエーテル等が挙げられ、陽イオン界面活性剤としては、例えば塩化ベンゼトニウム、塩化ベンザルコニウム、塩化セチルピリジウム等が挙げられる。
キレート剤としては、例えばエデト酸ナトリウム、クエン酸ナトリウム、縮合リン酸ナトリウム等が挙げられる。
粘稠剤としては、例えばヒドロキシエチルセルロース、メチルセルロース、ポリビニルアルコール、ポリビニルピロリドン等が挙げられる。
湿潤剤としては、例えばグリセリン、ポリエチレングリコール、プロピレングリコール等が挙げられる。
本発明に関して、コンタクトレンズ用剤の形態としては、用時液状をとりうるものであれば特に制限はなく、液剤、半固形剤、および長期保存可能で用時溶解して用いる固形剤が挙げられる。固形剤としては、錠剤、顆粒剤、散剤並びに凍結乾燥品が挙げられるが、溶解の早さ並びに無菌、組成物の均一面等を考慮すると、凍結乾燥品が好ましい。これらは常法によって製造することができる。
なお、上記のオキソ酸化合物または／およびポリ酸化合物、その他の成分の配合量、ｐＨは、半固形剤および固形剤の場合には、用時の液状のコンタクトレンズ用剤とした場合の量およびｐＨである。
本発明のコンタクトレンズ用剤が使用できるコンタクトレンズの種類は問わず、ハードコンタクトレンズ、酸素透過性ハードコンタクトレンズ、ソフトコンタクトレンズのいずれであってもよい。
本発明のコンタクトレンズ用剤を、例えばコンタクトレンズの洗浄剤として用いる場合は、装用後のコンタクトレンズをこの洗浄液に入れ、１〜１２時間浸漬することにより行われる。また、洗浄後、水洗せずに装用できる。
実施例
以下に、本発明の幾つかの実施例を示し、本発明を更に具体的に明らかにするが、それらは本発明の説明をするためのものであって、本発明の範囲を制限するものではない。
実施例１
バナジン酸ナトリウム（ＮａＶＯ3 ）、クロム酸ナトリウム（Ｎａ2 ＣｒＯ4 ・４Ｈ2 Ｏ）、モリブデン酸ナトリウム（Ｎａ2 ＭｏＯ4 ・２Ｈ2 Ｏ）、タングステン酸ナトリウム（Ｎａ2 ＷＯ4 ・２Ｈ2 Ｏ）、スズ酸ナトリウム（Ｎａ2 Ｓｎ3 ・３Ｈ2 Ｏ）、ケイ酸ナトリウム（Ｎａ2 ＳｉＯ3 ・９Ｈ2 Ｏ）、テルル酸ナトリウム（Ｎａ2 ＴｅＯ4 ・２Ｈ2 Ｏ）をそれぞれ別個に蒸留水に溶解し、塩酸でｐＨを６〜８に調整し、蒸留水を適量加え、１０ｍＭ水溶液を作製した。
比較例１
比較例として、蒸留水を用いた。
実験例１
以下に示す塩化リゾチーム汚垢液を用いた。
0003564067.tif 000002
上記塩化リゾチーム汚垢液１０ｍＬを試験管に入れ、約８０℃の温水中に約１０分間浸漬し、白濁させた。冷却後、ハードコンタクトレンズ（主材質：セルロースアセテートブチレート）の凹面に白濁した汚垢液約５０μＬを滴下した後、７０℃で乾燥させ、蛋白質汚垢レンズを作製した。
そのレンズを流水ですすいだ後、０．２％エリトロシン水溶液に約１０秒浸漬させ、ピンク色に染色した。染色レンズを流水ですすいだ後乾燥させ、きれいな透明レンズとの色差を色彩色差計（ミノルタ（株）製、ＣＴ−２１０）で測定し、洗浄前の色差値ΔＥ1 とした。
その後、実施例１の各水溶液および比較例１の蒸留水に４時間浸漬し、レンズを取り出し、流水ですすいだ後、再度０．２％エリトロシン水溶液に約１０秒浸漬させ、ピンク色に染色した。染色レンズを流水ですすいだ後乾燥させ、きれいな透明レンズとの色差を色彩色差計（ミノルタ（株）製、ＣＴ−２１０）で測定し、洗浄後の色差値ΔＥ2 とした。実施例１および比較例１の各液には、それぞれ３枚のハードコンタクトレンズを使用した。
洗浄率は、以下の式を用いた。
0003564067.tif 000003
実施例１および比較例１の試験結果を表１に示す。
0003564067.tif 000004
表１から、明らかなように、実施例１の各オキソ酸の塩は、優れた洗浄効果を示すことが判った。
実施例２
ドデカタングストケイ酸ナトリウム（Ｎａ4（ＳｉＷ12Ｏ40）・ｎＨ2 Ｏ）０．５ｇとリン酸二水素ナトリウム（無水）０．２ｇを蒸留水に溶かし、塩酸でｐＨを７．０に調整し、蒸留水を適量加え、１００ｍＬとした。
実施例３
ドデカタングストケイ酸ナトリウム（Ｎａ4（ＳｉＷ12Ｏ40）・ｎＨ2 Ｏ）の代わりにドデカタングストリン酸ナトリウム（Ｎａ3（ＰＯ4 １２ＷＯ3）・ｎＨ2 Ｏ）を使用した以外は、実施例２と同様にした。
比較例２
比較例として、蒸留水を用いた。
実験例２
実験例１と同様に実験を行い、実施例２、３、比較例２の洗浄率を求めた。
実施例２、３および比較例２の試験結果を表２に示す。
0003564067.tif 000005
表２から、明らかなように、実施例２、３のポリ酸の塩は、優れた洗浄効果を示すことが判った。
実施例４
以下の処方のものを使用した。
0003564067.tif 000006
比較例３
比較例として生理的食塩水を使用した。
実験例３
以下に示す人工涙液を用いた。
0003564067.tif 000007
上記人工涙液にソフトコンタクトレンズ（以下「ＳＣＬ」という）（主材質：メチルメタクリレートビニルピロリドン）を３７℃で２０時間浸漬し、蛋白付着ＳＣＬを作成した。蛋白付着ＳＣＬを実施例４、比較例３の各液が入った保存ケースに入れ、煮沸消毒を行った後に室温で放置した。４時間後、ＳＣＬを取り出し、ビシンコニン酸法によりＳＣＬ付着蛋白量を測定した。実施例４、比較例３の各液には、それぞれ１枚のＳＣＬを使用した。
結果を表３に示す。
0003564067.tif 000008
表３から、明らかなように、実施例４の処方液は、比較例３に比べ有意に蛋白を除去していることが確認された。
実施例５
実施例として、以下の表４に示す処方を挙げる。これらの液は、ハードコンタクトレンズ、酸素透過性ハードコンタクトレンズ、ソフトコンタクトレンズのいずれにも使用できる。
0003564067.tif 000009
産業上の利用可能性
本発明のコンタクトレンズ用剤は、例えば蛋白質除去剤として、特定のオキソ酸化合物または／およびポリ酸化合物を有効成分として使用するので、コンタクトレンズの種類や特定の洗浄装置によらずに、蛋白質除去ができ、しかも蛋白質除去処理後に水洗が不要である。
本出願は日本で出願された平成１０年特許願第２５１８２８号を基礎としており、その内容は本明細書に全て包含されるものである。